(57)【特許請求の範囲】
【請求項１】
ガイド部材(13,16)の不使用時には、循環搬送路(1)上に載置されて循環搬送される被搬送物を、ガイド部材(13,16)の使用時に搬送途中でＵターンさせるべく、前記循環搬送路の途中であって、前記循環搬送路の往路(1A)と復路(1B)の中間にターンテーブル(4)が設けられると共に、
往路側に往路からターンテーブル上に被搬送物を誘導する往路側ガイト部材(13)が設置自在に設けられ、
この往路側ガイド部材に対向して復路側にターンテーブルから復路側に被搬送物を誘導する復路側ガイド部材(16)が設置自在に設けられ、
前記ターンテーブルが、前記往路及び前記復路と略同一平面上で回転することで、被搬送物が、ターンテーブルの回転に沿って往路(1A)からターンテーブル(16)に乗り移った後、ターンテーブル(16)の回転に沿って復路(1B)への乗り移るよう構成されていることを特徴とする循環搬送路の短絡装置。
【発明の詳細な説明】
【０００１】
【発明の属する技術分野】
本発明は、飲食店のカウンター等に設置され、循環搬送路上に載置され搬送される飲食物容器等の被搬送物を搬送途中でＵターンさせる循環搬送路の短絡装置に関するものである。
【０００２】
【従来の技術】
従来の循環搬送路で被搬送物を搬送途中でＵターンさせる時は、循環搬送路の途中でクレセントチェーンの往路と復路の間にベルトコンベアが往路と復路と直角をなすように設置されていた。
【０００３】
【発明が解決しようとする課題】
上記従来の循環搬送路では、往路を移行する被搬送物が往路からベルトコンベア上に乗り移る際に進路が直角に変更するため、往路及びベルトコンベアと被搬送物の間に摩擦が生じ、ベルトコンベアのベルトが蛇行する問題点を有し、円滑な移行とはならなかったのである。
【０００４】
上記点より本発明は、循環搬送路上に載置され搬送される飲食物容器等の被搬送物を搬送途中で円滑にＵターンさせることを可能とした循環搬送路の短絡装置を提供しようとするものである。
【０００５】
【課題を解決するための手段】
上記課題を解決するため本発明装置は、ガイド部材(13,16)の不使用時には、循環搬送路(1)上に載置されて循環搬送される被搬送物を、ガイド部材(13,16)の使用時に搬送途中でＵターンさせるべく、前記循環搬送路の途中であって、前記循環搬送路の往路(1A)と復路(1B)の中間にターンテーブル(4)が設けられると共に、往路側に往路からターンテーブル上に被搬送物を誘導する往路側ガイト部材(13)が設置自在に設けられ、この往路側ガイド部材に対向して復路側にターンテーブルから復路側に被搬送物を誘導する復路側ガイド部材(16)が設置自在に設けられ、前記ターンテーブルが、前記往路及び前記復路と略同一平面上で回転することで、被搬送物が、ターンテーブルの回転に沿って往路(1A)からターンテーブル(16)に乗り移った後、ターンテーブル(16)の回転に沿って復路(1B)への乗り移るよう構成されている。又、請求項１の本発明装置に於いて、ターンテーブルがクレセントチェーンのローラ部分に噛合し回転するスプロケットと連動し、前記クレセントチェーンを挾んでスプロケットの反対側にクレセントチェーンのローラ部分に接するチェーンガイドが設けられていることを特徴とするものである。本発明で「ターンテーブルが往路及び復路と略同一平面上で回転する」とは、ターンテーブルが、往路及び復路と図５〜図７の位置関係で回転することを意味する。
【０００６】
又、本発明はクレセントチェーンのトッププレート面が、往路側がターンテーブルの上面よりも高い位置に、復路側がターンテーブルの上面よりも低い位置になっていることが好ましく、又ターンテーブルがクレセントチェーンのトッププレート面より往路側が低く、復路側が高くなるよう傾斜させることもできる。
又、本発明はターンテーブルの表面に摩擦係数の大きいゴム材を設けることもでき、又ターンテーブルの表面に放射状又は同心円状に溝が設けられていることが好ましい。
【０００７】
上記構成を有する本発明は、循環搬送路の途中でクレセントチェーンの往路と復路の中間にターンテーブルを設け、往路を移行する被搬送物をＵターンさせる時は、往路側ガイド部材を往路に設置すると共に、復路側ガイド部材を復路に設置すれば、被搬送物は往路側ガイド部材に誘導されてターンテーブル上に載置され、ターンテーブルより復路に搬送される。
【０００８】
そして、復路からターンテーブル上被搬送物が乗り移る際、及びターンテーブルから復路上に被搬送物が乗り移る際は、ターンテーブルの回転に沿って進路を変更するため急激な変更とならず、円滑な移行が可能となる。
又、ターンテーブルがクレセントチェーンのローラ部分に噛合し回転するスプロケットと連動するものは、クレセントチェーンの動力を利用しているため、ターンテーブル専用の駆動源を必要としない。
そして、この場合クレセントチェーンを挾んでスプロケットの反対側にクレセントチェーンのローラ部分に接するチェーンガイドが設けられているため、クレセントチェーンとスプロケットの噛合が確実で安定したものとなる。
【０００９】
又、クレセントチェーンのトッププレート面が、往路側がターンテーブルの上面よりも高い位置に、復路側がターンテーブルの上面よりも低い位置になっていると、高位置から低位置への移行となるため、被搬送物が往路からターンテーブルへ、又ターンテーブルから復路への乗り移りが容易となる。
又、ターンテーブルをクレセントチェーンのトッププレート面より往路側が低く、復路側が高くなるよう傾斜しても前同様被搬送物の乗り移りが容易となる。この場合、クレセントチェーンのトッププレート面が往路が復路よりも高い場合と、又クレセントチェーンのトッププレート面が往路と復路が同一高の場合と両方の条件に於いての傾斜が含まれる。
【００１０】
又、ターンテーブルの表面に摩擦係数の大きいゴム材を設ければ、被搬送物がターンテーブル上で滑らない。
又、ターンテーブルの表面に放射状又は同心円状に溝を設けても前同様被搬送物のターンテーブル上での滑りが防止され、共に確実な移行が可能となる。
【００１１】
【発明の実施の形態】
以下、本発明の一実施の形態を図面に基づき説明する。
全図を通して同一符号は同一又は相当する部分を示すものとする。
図１は本発明装置の一実施の形態を示す平面図、図２は同上の断面図である。
【００１２】
而して、図中１は飲食店等のカウンター等に設置され、循環する無端のクレセントチェーン２上に複数のプレート３を取り付けた循環搬送路であり、この循環搬送路１に於いて１Ａは往路であり、１Ｂは復路である。
４は循環搬送路１の途中で往路１Ａと復路１Ｂの中間に設けたターンテーブルであり、ターンテーブル４の軸受５はターンテーブル４の下方に設けた固定板６に固定されている。
【００１３】
又、ターンテーブル４の軸７にプーリー８が取り付けられている。
９はターンテーブル４の駆動モーターであり、固定板６に取り付けられている。そして、駆動モーター９の軸１０にプーリー１１が取り付けられ、このプーリー１１とターンテーブル４側のプーリー８間にベルト１２が張設され、ターンテーブル４は駆動モーター９により回転する。
【００１４】
１３は往路１Ａと復路１Ｂ間で往路１Ａ側の進行方向でターンテーブル４の後方部に設けた往路側ガイド部材であり、この往路側ガイド部材１３は断面が長方形のアーム形状で、その基部がターンテーブル４の後方に設けた上板１４の往路１Ａ側に水平方向に回動可能に枢軸１５で取り付けられている。
又、この往路側ガイド部材１３に対向して上板１４の往路１Ｂ側に往路側ガイド部材１３と同一構造の復路側ガイド部材１６の基部が水平方向に回動可能に枢軸１７で取り付けられている。
【００１５】
そして、往路側ガイド部材１３及び復路側ガイド部材１６は不使用時は往路１Ａと復路１Ｂ間で先方側ターンテーブル４の上方に位置しているが、飲食物容器等の被搬送物１８を往路１Ａの途中で復路側へ移行させＵターンさせる時は、往路側ガイド部材１３の先方を往路１Ａ側へ手動で回動し、ターンテーブル４の側方で往路１Ａの上方に往路１Ａの上方に往路側１Ａを斜めに遮るように位置させる。
又、復路側ガイド部材１６の先方に復路１Ｂ側へ手動で回動し、ターンテーブル４の側方で復路１Ｂの上方に復路１Ｂを斜めに遮るように位置させる。
【００１６】
ターンテーブル４は往路１Ａ側は往路１Ａの進行方向に沿うように、又復路１Ｂ側は復路１Ｂの進行方向に沿うような方向に回転している。
そして、Ｕターンは被搬送物１８が往路１Ａのプレート３上に載置されて搬送され、進行方向の前方の往路側ガイド部材１３により進行を妨げられ、往路側ガイド部材１３よりターンテーブル４の回転に沿ってターンテーブル４上に誘導される。
【００１７】
ターンテーブル４上に載置された被搬送物１８はターンテーブル４により移行し、復路側ガイド部材１６によりターンテーブル４の回転に沿って復路１Ｂのプレート３上に載置され、折り返し移行される。
尚、図中１９はチェーンレールである。
【００１８】
次に、図３は請求項２の本発明装置の一実施の形態を示す平面図であり、図４は同上の断面図である。
この装置はターンテーブル４の駆動源を循環するクレセントチェーン２を利用したものである。
すなわち、図中２０はスプロケットであり、スプロケット２０は復路１Ｂ側のクレセントチェーン２のローラ２１に噛合している。このスプロケット２０の軸受２２は固定板６に固定されている。
【００１９】
又、スプロケット２０の軸２３にプーリー２４が取り付けられ、このプーリー２４とターンテーブル４側のプーリー８間にベルト２５が張設され、ターンテーブル４はスプロケット２０により回転する。
２６は復路側１Ｂのクレセントチェーン２を挾んでスプロケット２０の反対側に設けた細巾の板状のチェーンガイドであり、このチェーンガイド２６はスプロケット２０とクレセントチェーン２の噛合箇所にクレセントチェーン２に沿ってクレセントチェーン２のローラ２１に接触するように中央部分が膨り出し、両側は後方に屈曲し、側枠２７にボルト２８で止着されている。
【００２０】
次に、図５乃至図７はターンテーブルと往路側のクレセントチェーンのトッププレート面と復路側のクレセントチェーンのトッププレート面との高低関係を示したものであり、図５はクレセントチェーン２のプレート３面が往路１Ａ側がターンテーブル４の上面よりも高い位置に、又復路１Ｂ側がターンテーブル４の上面よりも低い位置となっている。
これにより被搬送物１８は高い位置から低い位置に移行するので、往路１Ａからターンテーブル４へ、又ターンテーブル４から復路１Ｂへ乗り移りが容易となる。
【００２１】
又、図６はターンテーブル４がクレセントチェーン２のトッププレート３面より往路１Ａ側が低く、復路１Ｂ側が高くなるよう傾斜させることにより、前同様に被搬送物１８の乗り移りが容易となる。
この場合、図６のように往路１Ａが高い位置で復路１Ｂが低い位置の時は、往路１Ａ側から復路１Ｂ側へ傾斜させ、図７のように往路１Ａ側と復路１Ｂ側が同じ高さの時は、復路１Ｂ側から往路１Ａ側へ傾斜させる。
又、これ等とは別にターンテーブルの外周速をクレセントチェーン２の速度より早くすることにより、往路１Ａからターンテーブル４へ、又ターンテーブル４から復路１Ｂへの乗り移りをスムーズにできる。
実施例ではクレセントチェーン２の走行速度とターンテーブル４の外周速度の比は概ね１対１．７となっている。
【００２２】
次に、図８乃至図１０はターンテーブルを示し、図中３０はターンテーブル４の上面に貼着した摩擦係数の大きいゴム材であり、シリコンゴム、ウレタンゴム等が使用される。
又、図９のようにターンテーブル４の表面に放射状の溝３１を設けることや、図１０のように同心円状の溝３１を設けることにより、ターンテーブル４上で被搬送物１８が滑ることを防止することができる。
【００２３】
【発明の効果】
本発明によれば、被搬送物が往路からターンテーブル上に乗り移る際、及びターンテーブルから復路上に乗り移る際はターンテーブルの回転に沿って進路を変更するため、急激な搬送とならず円滑な移行するため、従来のベルトコンベアのようにベルトの蛇行調整等の保守が不要となり、メンテナンスが容易である。
又、請求項２の発明は、ターンテーブルの動力はクレセントチェーンによるのでターンテーブル用の電動機や電気配線が不用となり、製作費や運転費のコストダウンになる経済的効果も有する。
【図面の簡単な説明】
【図１】請求項１の本発明装置の一実施の形態を示す平面図である。
【図２】請求項１の本発明装置の一実施の形態を示す断面図である。
【図３】請求項２の本発明装置の一実施の形態を示す平面図である。
【図４】請求項２の本発明装置の一実施の形態を示す断面図である。
【図５】本発明装置の一実施の形態を示す部分図である。
【図６】本発明装置の一実施の形態を示す部分図である。
【図７】本発明装置の一実施の形態を示す部分図である。
【図８】本発明装置のターンテーブルの断面図である。
【図９】本発明装置のターンテーブルの平面図である。
【図１０】本発明装置のターンテーブルの平面図である。
【符号の説明】
１  循環搬送路
１Ａ  往路
１Ｂ  復路
２  クレセントチェーン
３  プレート
４  ターンテーブル
９  駆動モーター
１３  往路側ガイド部材
１６  復路側ガイド部材
１８  被搬送物
２０  スプロケット
２１  ローラ
２６  チェーンガイド
３０  ゴム材
３１  溝
【図１】
0003640597.tif 000002
【図２】
0003640597.tif 000003
【図３】
0003640597.tif 000004
【図４】
0003640597.tif 000005
【図５】
0003640597.tif 000006
【図６】
0003640597.tif 000007
【図７】
0003640597.tif 000008
【図８】
0003640597.tif 000009
【図９】
0003640597.tif 000010
【図１０】
0003640597.tif 000011